【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
医師の処方に従い、薬剤師が適正に調剤し、供給し、服薬指導した、１回分の服用可能な適法な固体薬剤の全量のみを収納し、一包化された密封薬剤分包（以下、密閉薬剤分包と略称する）と、この密閉薬剤分包一袋ずつを格納し、上方に出現する上に開いた複数個の小容器及びこの全数を同一水平面上に格納し、その中の１個を、水平回転または水平移動により、又は不動のまま選択する、上に開いた１個の中容器並びに両容器の上・側方を覆い包む下に開いた１個の大容器とで成る３種類の容器群と、予め設定する服薬時刻毎の薬剤分包を格納する小容器を、１個ずつ順番に大容器の上部・上方に出現させる手段とで成り、小容器を１個ずつ順番に大容器の上部・上方に出現させる手段として、小容器１個を水平回転又は水平移動により選択する中容器が、回転後または水平移動後に停止する、所定の角度位置、または所定の緯・経度位置、の場所の下方の、大容器の下部空間内に、中容器の底面に設けた複数の開口部または吹き抜け部を貫通して、小容器の底面を押し上げ棒等で押し上げ、小容器を大容器の上部に出現させ、密閉薬剤分包が取り上げられた後に引き下げる、押し上げ・引き下げ機構を具備したことを特徴とする服薬援助器具。
【請求項２】
請求項１の服薬援助器具において、所定の服薬時刻に達するごとに、音響、光、振動等による公知の単数または複数の警報・報知手段を用いて服薬時刻の到来を告知・発信することに加え、同時に、該時刻に該分包の薬剤を服用するべき患者に対し、明らかに該患者向けの報知であることを示す文言を含む呼びかけ音声、例えば「○○さんお薬の時間ですよ」等、氏名または「準氏名」を含む「呼びかけ文言音声」、を告知・発信し、これらの発信を、該患者が該密閉薬剤分包を小容器から完全に取り出し終わるまで、又は予め設定した許容遅延時間幅の遅れ時間が経過するまで、中断することなく継続することを特徴とする請求項１の服薬援助器具。
【請求項３】
請求項１、または請求項２、の器具において、密閉薬剤分包が、該器具内に格納されてから、取り出され終わるまでの間の、如何なる時期、如何なる行程、如何なる場所においても、落下、降下、滑り下り等、重力の作用により、器具内の所在位置を下げる移行過程をとらず、これを高めること、を特徴とする服薬援助器具。
【請求項４】
請求項１、請求項２、又は請求項３の器具において、大容器の下端に接し、大容器内部の下部空間内に、該器具を稼動させる為に必要な諸機構・諸装置類、−−中容器水平移行機構、小容器上下移行機構、警報告知信号発生装置、呼びかけ文言音声発生装置、服薬時刻設定装置、時計装置、管理制御装置、各種検知センサー装置、電源装置、その他の付属装置・機器類−−を格納し設置する底板を設け、該底板と大容器とを施錠機構を介し、施錠して一体連結化し、使用中に解体したり、内部機器にアクセスしたりできない構造の服薬援助器具。
【請求項５】
請求項１、請求項２又は請求項３の器具において、服薬時刻到来告知信号の継続発信を、該患者自身または第三者の恣意により停止するための、信号停止用押しボタン等の、いかなる公知の発信信号停止手段をも設置しない服薬援助器具。
【請求項６】
請求項１、請求項２または請求項３の器具において、該器具内に内蔵する時計機構と服薬時刻設定装置とにより、所定の服薬時刻の到来を検知して作動を開始し、所定の許容時間内での服薬がなければ次回の服薬を待つ、管理制御装置を具備する器具であり、携帯電話等、無線・有線の何らかの電気的通信手段を利用した、該器具以外の外部機器や外部機関からの、いかなる現時の服薬時刻到来告知信号にも依存しない服薬援助器具。
【請求項７】
請求項１、請求項２又は請求項３の器具において、上部・上方に出現する小容器１個を中容器の水平回転により選択する、代表的な一形態として、中容器が、垂直な中心軸の周囲に水平に放射状に設置された扇形柱状体又は二等辺三角形柱状体、の、内部に一個ずつ小容器を格納できる、複数の小空間をもち、服薬時刻到来毎に、一小空間ずつ一定の向きに水平回転した後、所定の角度位置に停止する、ことを順次繰り返す水平回転機構を伴った構造の、上に開いた、円筒形又は正多角形柱状体形の容器である服薬援助器具。
【請求項８】
請求項１、請求項２又は請求項３の器具において、上部・上方に出現する小容器１個を中容器の水平移動により選択する、一形態として、中容器が、縦及び横方向に水平に伸びた複数の格子状の垂直隔壁に区切られた直方体の内部に一個ずつ小容器を格納できる複数の小空間をもち、服薬時刻到来毎に、一空間ずつ予め定めた順序で、小空間が順次、水平な緯・経度の特定位置に来るように、縦行・横行の水平移動をした後に停止する、ことを順次繰り返す構造の縦・横の水平移動機構を伴った、上に開いた、直方体形の容器である、ことを特徴とする服薬援助器具。
【請求項９】
請求項１、請求項２または請求項３において、小容器を１個ずつ順番に大容器の上部・上方に出現させる手段として、自身は移行することなく不動のまま、小容器１個を選択する中容器を用いた器具において、固定位置に設置された中容器内に格納された密閉薬剤分包のある小容器を、一個ずつ順番に大容器の上方・上部に出現させる手段として、上に開いた不動の中容器の下方の、大容器の下部空間に、服薬時刻到来毎に予め定められた順序で、該時刻に服用する密閉薬剤分包を格納した小容器の存在場所の直下まで、水平回転または、縦・横両方向に水平移動する移行体機構と、この移行体機構上に設置された、上下移動用の押し上げ引き下げ機構とからなる、水平移行体付押上機構を設置することができ、これを用いて服薬告知信号が入信する毎に、予め設定したルールに従って順番に、この水平移行体付押上機構を水平に移行し、該当する薬剤分包を格納した小容器の直下にアクセスさせ、押し上げ機構を作動させて小容器を押し上げ、小容器から分包が取り出されると、元の場所まで引き下げる、ことを順次に行う機構をもつた服薬援助器具。
【請求項１０】
請求項１、請求項２または請求項３の器具において、小容器を１個ずつ順番に大容器の上部・上方に出現させる手段として、既述の押し上げ・引き下げ機構又は水平移行体付押上機構に代えて、大容器の外部上面に設置した、挟み上げや吊り上げ等の持ち上げ機能を具備したロボットアーム機構の先端部を、大容器上部に設けた蓋付きの開口部を経て、該時刻での該密閉薬剤分包を格納した小容器にアクセスさせ、小容器の上部側面を挟み上げや吊り上げ等の方法で持ち上げ、大容器上面の上方につまみ出し、患者等がこの小容器から密閉薬剤分包を取り出した後、空の小容器を中容器内部の元の空間位置に格納する、持ち上げ・戻し機構を具備する服薬援助器具。
【請求項１１】
請求項１、請求項２又は請求項３において、自身は不動のまま小容器１個を選択する中容器を用いた器具において、固定位置に設置された中容器内に格納された密閉薬剤分包のある小容器を、一個ずつ順番に大容器の上部・上方に出現させる手段として、前項の機構に代えて、服薬時刻到来毎に、一空間ずつ予め定められた順序で、中容器の該小空間に格納された該時刻に服用の密閉薬剤分包を格納した小容器を、大容器の上面に設置された不動のロボット機構のマニピュレーターを作動させ、具備するロボットアーム先端のハンド部の挟み器具や吊り上げ器具で、小容器の上部側壁をはさみ上げたり吊り上げたりして持ち上げ、該服薬時刻での服薬の密閉薬剤分包を格納する小容器を、処方で示された順序通り、順次、大容器の上方外部に出現させ、所定の密閉薬剤分包が取り出された後、空になった小容器を中容器の元の空所内に格納することのできる、固定式のロボットマニピュレーター機構を具備した服薬援助器具。
【請求項１２】
請求項１、請求項２又は請求項３の器具において、患者が薬剤分包を該小容器から完全に取り出し終わる、ことを、服薬時刻到来告知信号受信後、数乃至十数秒の一定時間内に分包物体の存在を検知し、その後、許容服薬遅延幅時間内に該分包物体の不存在を検知する、という、タイマーと物体の存在・不存在検知センサーの一連の検知信号群の発現をもって、検知したこととする器具、を具備する服薬援助器具。
【請求項１３】
請求項１、請求項２又は請求項３の器具において、予め設定する服薬時刻と、その許容服薬遅延時間幅を設定することが可能で、今の時刻と、今後の服薬時刻設定も可能であり、日々の服薬時刻を個別に設定することも、平常日と祝祭休日とに分けて、それぞれの同一服薬時期毎に纏めて同一の服薬時刻を設定することも、曜日毎に纏めて異なる服薬時刻を設定することも、あるいはまた、毎日の服薬開始時刻とその後の同一の服薬時間間隔とで設定することも、いずれの設定も可能な、服薬時刻設定に関する諸機能を具備する装置を備えた服薬援助器具。
【請求項１４】
請求項７、請求項８、請求項９又は請求項１０において、服薬時刻到来告知信号により、中容器を回転・移動等水平移行させる機構、又は不動の中容器に対する水平移行体付押上機構を、直ちに水平移行させ、該時刻の服薬薬剤の分包を格納した小容器を取り出せる位置に停止させ、これを確認した後に、小容器を上方に押し出すか又はつまみ出して大容器の上部・上方に出現させ、該薬剤分包が患者等により、確実に取り出された後に、空の小容器を元に戻し、そのまま次回の告知信号到来まで待機するか、あるいは、服薬時刻到来告知信号により、直ちに該時刻の服薬薬剤分包の格納された小容器を上方に押し出すか又はつまみ出して大容器の上部・上方に出現させ、該薬剤分包が患者等により、確実に取り出された後に、空の小容器を元に戻し、戻ったことを確認した後、中容器を回転・移動等水平移行させる機構、又は不動の中容器に対する水平移行体付押上機構を水平移行させ、次回の服薬薬剤分包を格納した小容器を取り出せる位置まで移行すると水平移行を停止し、そのままの状態で次回の服薬時刻到来信号まで待機するか、のいずれかの連続的な運転操作を行い、そして本器具には、これを自動的に行うため、必要な各種センサー類を含む連続自動運転管理制御装置を備えている服薬援助器具。
【請求項１５】
請求項１１の、不動の中容器と固定ロボットアーム機構を用いた器具においては、服薬時刻告知信号到来により、管理制御機構に内在するシーケンスプログラムにより、ロボットアームが作動し、該時刻での服用薬剤分包を格納した小容器の存在する中容器の直上の位置にアクセスし、同時に、中容器の開口部の上方に近接している大容器上面に設置されている複数の開閉蓋の内、該小容器の存在する場所の直上にある開閉蓋のみを開き、その開口部を通してロボットアームの先端のつまみ器具または吊り上げ器具が、中容器内の該小容器にアクセスして、該小容器を取り上げ、大容器の外上方に出現させ、その後、患者等がロボットアームの先端にある小容器から、完全に該薬剤分包を取り出したという信号により、ロボットの先端器具類が、空の小容器を中容器の元の中空部に戻した後、開口部から大容器の外に出て、他のアーム機構と共に、元の待機位置に戻り、開口部の開閉蓋を閉じ、次回の服薬告知信号到来まで待機する、という一連の連続自動運転操作を行うのに必要な各種センサー類やロボット操作装置を含む、連続自動運転管理制御装置を備えている服薬援助器具。
【請求項１６】
請求項１、請求項２、請求項３、請求項４、請求項５又は請求項６の器具において、患者の該器具使用に先立ち、医師の処方、薬剤師の調剤、供給、服薬指導に従い、向後の予定期間の該患者の服用時刻を確定し、これを該器具の服薬時刻設定装置に入力し、処方に従った服薬時刻順に、薬剤師が調剤した内容の異なる密閉薬剤分包を格納した小容器を、誤りなく、薬剤師の指示した正しい服薬順序順に従い、一定のルールに従って順序正しく、所定の密閉薬剤分包の全数を格納し終わった、介護人等が、誤りなくその作業をなし終わったことを、一目瞭然に確認できる識別表示又は標識を具備した服薬援助器具。
【手続補正２】
【補正対象書類名】明細書
【補正対象項目名】００３１
【補正方法】変更
【補正の内容】
【００３１】医師の処方に従い、薬剤師が適正に調剤し、供給し、服薬指導した、１回分の服用可能な適法な固体薬剤の全量のみを収納し、一包化された密封薬剤分包（以下、密閉薬剤分包と略称する）と、この密閉薬剤分包一袋ずつを格納し、上方に出現する上に開いた複数個の小容器及びこの全数を同一水平面上に格納し、その中の１個を、水平回転または水平移動により、又は不動のまま選択する、上に開いた１個の中容器並びに両容器の上・側方を覆い包む下に開いた１個の大容器とで成る３種類の容器群と、予め設定する服薬時刻毎の薬剤分包を格納する小容器を、１個ずつ順番に大容器の上部・上方に出現させる手段とで成り、小容器を１個ずつ順番に大容器の上部・上方に出現させる手段として、小容器１個を水平回転又は水平移動により選択する中容器が、回転後または水平移動後に停止する、所定の角度位置、または所定の緯・経度位置、の場所の下方の、大容器の下部空間内に、中容器の底面に設けた複数の開口部または吹き抜け部を貫通して、小容器の底面を押し上げ棒等で押し上げ、小容器を大容器の上部に出現させ、密閉薬剤分包が取り上げられた後に引き下げる、押し上げ・引き下げ機構を具備したことを特徴とする服薬援助器具。